(57)【特許請求の範囲】
【請求項１】
枠線で画された複数の部分模様を繋げた形状に切断したシートを前記枠線で画された単位で折り重ねることにより、前記部分模様が組み合わさった全体模様を表す装飾物を作製するための、切断データを作成する切断データ作成方法であって、
前記複数の部分模様のうちの一の部分模様が他の部分模様に包含されているか否かを、夫々の部分模様について判別する工程と、
前記判別する工程で判別された前記部分模様の包含に関する判別結果に基づいて、前記シートを前記単位で折り重ねたときの順番に対応する前記複数の部分模様の重なり順の順番を決定する順番決定工程と、
前記順番決定工程で決定された前記順番に応じて、一の部分模様の枠線の一部と他の部分模様の枠線の一部とを重ねるための重畳線を、夫々の部分模様について設定する重畳線設定工程と、
前記一の部分模様の枠線と前記他の部分模様の枠線とを、前記重畳線設定工程で設定された前記重畳線で繋げた形状に連接する連接工程と、
前記連接工程で繋げた前記枠線のうち前記重畳線を除く枠線を切断する切断データを作成する切断データ作成工程と、
を備えることを特徴とする切断データ作成方法。
【請求項２】
前記複数の部分模様のうち前記シートを折り重ねたときの重なり順の順番が偶数番目となる部分模様を、その枠線の前記重畳線を基準に対称形状となる部分模様に変換する対称変換工程を備えることを特徴とする請求項１記載の切断データ作成方法。
【請求項３】
前記枠線は、その内方に前記部分模様を包含し、又は、前記部分模様の輪郭線の少なくとも一部を構成することを特徴とする請求項１又は２記載の切断データ作成方法。
【請求項４】
前記切断データ作成工程は、前記重畳線を折り線位置として前記折り重ねの指標となる目印の切断データを更に作成することを特徴とする請求項１〜３の何れか一項記載の切断データ作成方法。
【請求項５】
前記目印は、前記折り線位置を示す線であって、前記シートを山折りすることを示す山折り線と、前記シートを谷折りすることを示す谷折り線とを含み、前記山折り線と前記谷折り線は線の種類が異なることを特徴とする請求項４記載の切断データ作成方法。
【請求項６】
前記枠線を繋げる方向を指定する方向指定工程を備え、
前記重畳線設定工程は、前記方向指定工程で指定された方向に応じて前記重畳線を設定することを特徴とする請求項１〜５の何れか一項記載の切断データ作成方法。
【請求項７】
前記シートを折り重ねた状態で保持するための保持部を、前記枠線の近傍に配置する保持設定工程を備えることを特徴とする請求項１〜６の何れか一項記載の切断データ作成方法。
【請求項８】
枠線で画された複数の部分模様を繋げた形状に切断したシートを前記枠線で画された単位で折り重ねることにより、前記部分模様が組み合わさった全体模様を表す装飾物を作製するための、切断データを作成する切断データ作成装置であって、
前記複数の部分模様のうちの一の部分模様が他の部分模様に包含されているか否かを、夫々の部分模様について判別する手段と、
前記判別する手段で判別された前記部分模様の包含に関する判別結果に基づいて、前記シートを前記単位で折り重ねたときの順番に対応する前記複数の部分模様の重なり順の順番を決定する順番決定手段と、
前記順番決定手段で決定された前記順番に応じて、一の部分模様の枠線の一部と他の部分模様の枠線の一部とを重ねるための重畳線を、夫々の部分模様について設定する重畳線設定手段と、
前記一の部分模様の枠線と前記他の部分模様の枠線とを、前記重畳線設定手段で設定された前記重畳線で繋げた形状に連接する連接手段と、
前記連接手段で繋げた前記枠線のうち前記重畳線を除く枠線を切断する切断データを作成する切断データ作成手段と、
を備えることを特徴とする切断データ作成装置。
【請求項９】
前記複数の部分模様のうち前記シートを折り重ねたときの重なり順の順番が偶数番目となる部分模様を、その枠線の前記重畳線を基準に対称形状となる部分模様に変換する対称変換手段を備えることを特徴とする請求項８記載の切断データ作成装置。
【請求項１０】
前記枠線は、その内方に前記部分模様を包含し、又は、前記部分模様の輪郭線の少なくとも一部を構成することを特徴とする請求項８又は９記載の切断データ作成装置。
【請求項１１】
前記切断データ作成手段は、前記重畳線を折り線位置として前記折り重ねの指標となる目印の切断データを更に作成することを特徴とする請求項８〜１０の何れか一項記載の切断データ作成装置。
【請求項１２】
前記目印は、前記折り線位置を示す線であって、前記シートを山折りすることを示す山折り線と、前記シートを谷折りすることを示す谷折り線とを含み、前記山折り線と前記谷折り線は線の種類が異なることを特徴とする請求項１１記載の切断データ作成装置。
【請求項１３】
前記枠線を繋げる方向を指定する方向指定手段を備え、
前記重畳線設定手段は、前記方向指定手段で指定された方向に応じて前記重畳線を設定することを特徴とする請求項８〜１２の何れか一項記載の切断データ作成装置。
【請求項１４】
前記シートを折り重ねた状態で保持するための保持部を、前記枠線の近傍に配置する保持設定手段を備えることを特徴とする請求項８〜１３の何れか一項記載の切断データ作成装置。
【請求項１５】
請求項８〜１４の何れか一項記載の切断データ作成装置の各種処理手段としてコンピュータを機能させるためのプログラムを記録したコンピュータ読取り可能な記録媒体。
【発明の詳細な説明】
【技術分野】
【０００１】
本発明は、シートを折り重ねてなる装飾物について、その切断対象としてのシートを切断する切断データに係る切断データ作成方法、切断データ作成装置、及びコンピュータ読取り可能な記録媒体に関する。
【背景技術】
【０００２】
従来より、被切断物である紙等のシートを、自動的に切断する切断装置が知られている。
例えば特許文献１に記載の切断装置では、ディスプレイを備えている。ユーザは、ディスプレイに表示される複数の模様の中から、所望の模様を選択する。前記シートは、表面に粘着層を有する保持部材に貼り付けられる。そして、切断装置は、保持部材の両端部分を駆動機構の駆動ローラ及びピンチローラで上下方向から挟んで第１方向へ移動させると共に、カッタを有するキャリッジを前記第１方向と直交する第２方向へ移動させる。この動作により、前記シートは、選択した模様の輪郭に沿って切断される。
【先行技術文献】
【特許文献】
【０００３】
【特許文献１】特開２０１２−２０６２３７号公報
【発明の概要】
【発明が解決しようとする課題】
【０００４】
ところで、複数のシートを重ねてなる装飾物を作製するには、まず、基台となるシート（基台シート）に、別のシートから切り抜いた部分模様を重ねて貼り付ける。そして、更に別のシートから切り抜いた異なる形状の部分模様を、その上から重ねて貼り付ける。こうして、複数の部分模様が組み合わさった凸状又は凹状の全体模様を表す装飾物を作製することができる。
しかし、従来の切断装置では、１枚のシートから所望の模様を切断することはできたが、上記のような装飾物を作製することには対応していなかった。従って、前記装飾物を作製するには、ユーザは、例えばハサミ等を用いて手作業により部分模様をシートから切り抜くことが必要であり、切断装置を用いることはなかった。即ち、ユーザは、全体模様をイメージしながら、各シートから切り抜く部分模様のそれぞれの形状や大きさ、配置を決めつつ装飾物を作製するしかなかった。従って、こうしたシート（部分模様）の配置等に多くの手間がかかっていた。
【０００５】
本発明は上記事情に鑑みてなされたものであり、その目的は、被切断物としてのシートを折り重ねることで、部分模様が組み合わさった全体模様を表す所望の装飾物を容易に作製することができる切断データ作成方法、切断データ作成装置、及びコンピュータ読取り可能な記録媒体を提供することである。
【課題を解決するための手段】
【０００６】
上記した目的を達成するために、本発明の請求項１の切断データ作成方法は、枠線で画された複数の部分模様を繋げた形状に切断したシートを前記枠線で画された単位で折り重ねることにより、前記部分模様が組み合わさった全体模様を表す装飾物を作製するための、切断データを作成する切断データ作成方法であって、前記複数の部分模様のうちの一の部分模様が他の部分模様に包含されているか否かを、夫々の部分模様について判別する工程と、前記判別する工程で判別された前記部分模様の包含に関する判別結果に基づいて、前記シートを前記単位で折り重ねたときの順番に対応する前記複数の部分模様の重なり順の順番を決定する順番決定工程と、前記順番決定工程で決定された前記順番に応じて、一の部分模様の枠線の一部と他の部分模様の枠線の一部とを重ねるための重畳線を、夫々の部分模様について設定する重畳線設定工程と、前記一の部分模様の枠線と前記他の部分模様の枠線とを、前記重畳線設定工程で設定された前記重畳線で繋げた形状に連接する連接工程と、前記連接工程で繋げた前記枠線のうち前記重畳線を除く枠線を切断する切断データを作成する切断データ作成工程と、を備えることを特徴とする。
【０００７】
本発明の請求項８の切断データ作成装置は、枠線で画された複数の部分模様を繋げた形状に切断したシートを前記枠線で画された単位で折り重ねることにより、前記部分模様が組み合わさった全体模様を表す装飾物を作製するための、切断データを作成する切断データ作成装置であって、前記複数の部分模様のうちの一の部分模様が他の部分模様に包含されているか否かを、夫々の部分模様について判別する手段と、前記判別する手段で判別された前記部分模様の包含に関する判別結果に基づいて、前記シートを前記単位で折り重ねたときの順番に対応する前記複数の部分模様の重なり順の順番を決定する順番決定手段と、前記順番決定手段で決定された前記順番に応じて、一の部分模様の枠線の一部と他の部分模様の枠線の一部とを重ねるための重畳線を、夫々の部分模様について設定する重畳線設定手段と、前記一の部分模様の枠線と前記他の部分模様の枠線とを、前記重畳線設定手段で設定された前記重畳線で繋げた形状に連接する連接手段と、前記連接手段で繋げた前記枠線のうち前記重畳線を除く枠線を切断する切断データを作成する切断データ作成手段と、を備えることを特徴とする。
【０００８】
本発明の請求項１５のコンピュータ読取り可能な記録媒体は、請求項８〜１４の何れか一項記載の切断データ作成装置の各種処理手段としてコンピュータを機能させるためのプログラムを記録したものである。
【発明の効果】
【０００９】
請求項１の切断データ作成方法によれば、重畳線設定工程で、一の部分模様の枠線の一部と他の部分模様の枠線の一部との重畳線が設定され、連接工程で、一の部分模様の枠線と他の部分模様の枠線とを重畳線で繋げた形状に連接する。これにより、被切断物としてのシートについて、複数の部分模様に係る枠線のうち前記重畳線を除く枠線を切断する切断データを作成することができる。このため、作成した切断データに基づきシートを切断し、枠線で画された単位でシートを折り重ねれば、複数の部分模様が組み合わさった全体模様を表す装飾物を作製することができる。また、装飾物の作製に必要なシート枚数を抑制することができ、製作の手間を減らすことができる。
【００１０】
請求項８の切断データ作成装置によれば、重畳線設定手段で、一の部分模様の枠線の一部と他の部分模様の枠線の一部との重畳線が設定され、連接手段で、一の部分模様の枠線と他の部分模様の枠線とを重畳線で繋げた形状に連接する。これにより、被切断物としてのシートについて、複数の部分模様に係る枠線のうち前記重畳線を除く枠線を切断する切断データを作成することができる。このため、作成した切断データに基づきシートを切断し、枠線で画された単位でシートを折り重ねれば、複数の部分模様が組み合わさった全体模様を表す装飾物を作製することができる。また、装飾物の作製に必要なシート枚数を抑制することができ、製作の手間を減らすことができる。
【００１１】
請求項１５のコンピュータ読取り可能な記録媒体は、請求項８〜１４の何れか一項記載の切断データ作成装置の各種処理手段としてコンピュータを機能させるためのプログラムを記録したものである。よって、前記プログラムを読み取って実行するコンピュータは、上記した請求項８〜１４の何れか一項に記載の発明と同様の効果を奏する。
【図面の簡単な説明】
【００１２】
【図１】第１実施形態について切断データ作成装置と切断装置を相互に接続して示す全体の斜視図
【図２】電気的構成を示すブロック図
【図３】（ａ）は全体模様を表す装飾物の正面図、（ｂ）は折り重ねる前のシートの平面図、（ｃ）はシートの折り重なりを枠線で画された単位で、ずらして示す説明図
【図４】（ａ）〜（ｄ）は、各部分模様の切断線の説明図
【図５】切断データの構造の説明図
【図６】切断データの生成過程（その１）とレイヤを表す図
【図７】切断データの生成過程（その２）と重畳線を表す図
【図８】切断データ作成プログラムの全体の処理の流れを示すフローチャート
【図９】重なり順決定処理のフローチャート
【図１０】部分模様の包含情報取得処理のフローチャート
【図１１】部分模様の重なり順の並び替え処理のフローチャート
【図１２】折り重ね用切断データ作成処理のフローチャート
【図１３】折り線の切断データ作成処理のフローチャート
【図１４】第２実施形態について他の全体模様の例で示すものであり、（ａ）は装飾物の正面図、（ｂ）、（ｃ)、(ｄ)及び(ｅ)は、枠線の連接方向をＹ軸負方向、Ｙ軸正方向、Ｘ軸正方向、及びＸ軸負方向とする４種類のシートの平面図
【図１５】第３実施形態について保持部を設けた構成で示す図１４（ｃ）相当図
【図１６】第４実施形態について基台シート部を省略したシートの例で示すものであり、（ａ）は装飾物の正面図、(ｂ)は折り重ねる前のシートの平面図
【発明を実施するための形態】
【００１３】
＜第１実施形態＞
以下、本開示の第１実施形態について、図面を参照しながら説明する。図１は、切断データ作成装置１と、切断装置１１と、を示している。切断データ作成装置１と切断装置１１は、通信ケーブル１１１で相互に接続されている。
切断データ作成装置１は、例えば汎用のパーソナルコンピュータ（パソコン）で構成されている。即ち、切断データ作成装置１は、パソコン本体からなる作成装置本体部２と、例えばカラー液晶ディスプレイからなる表示部（以下、ディスプレイ３とする）と、キーボード４ａ及びマウス４ｂからなる入力部４と、を備えている。また、切断データ作成装置１は、カラー画像の読取り可能なイメージスキャナ１０（図２にのみ図示）を備えている。
【００１４】
図２に示すように、作成装置本体部２の制御回路５は、コンピュータ（ＣＰＵ）を主体に構成されており、ＲＯＭ６、ＲＡＭ７、ＥＥＰＲＯＭ８が接続されている。また、制御回路５には、前記キーボード４ａ及びマウス４ｂからなる入力部４、ディスプレイ３、イメージスキャナ１０、作成装置本体部２に着脱可能な外部記憶装置９が夫々接続される。ＥＥＰＲＯＭ８又は外部記憶装置９には、後述する切断データ作成プログラムが記憶されている。切断データ作成プログラムの実行時には、ディスプレイ３に、種々の模様や必要な情報が表示される。このとき、ユーザが、キーボード４ａ及びマウス４ｂを操作して必要な入力や指示を行なうことで、切断データ作成装置１は、切断データを作成する。
【００１５】
また、切断データ作成装置１は、通信部１１１ａを備えている。通信部１１１ａは、前記通信ケーブル１１１を介して、切断装置１１の通信部１１１ｂに接続されている。これにより、切断データ作成装置１と切断装置１１との間で、切断データを含むデータの送受信が可能である。なお、切断データ作成装置１の通信部１１１ａと、切断装置１１の通信部１１１ｂは、有線ではなく無線で接続される構成であってもよい。
【００１６】
切断装置１１は、切断データに基づいて切断対象となるシート材２００を切断するものである。切断装置１１は、図１に示すように、筐体としての本体カバー１２と、本体カバー１２内に配設されたプラテン１３と、カッタカートリッジ１４が搭載されるキャリッジ１５と、シート材２００を保持するための保持部材１００とを備えている。保持部材１００は矩形平板状に形成されており、その表面に粘着層１０１（図１の破線参照）を有する。また、保持部材１００は、粘着層１０１に貼り付けられたシート材２００を保持し、略水平なプラテン１３上に載置されるようにセットされる。
【００１７】
本体カバー１２は横長な矩形箱状をなしており、当該本体カバー１２における正面の開口部１２ａ側を切断装置１１の前側とする。以下の説明では、プラテン１３上において保持部材１００が移送される前後方向をＹ方向とし、Ｙ方向と直交する左右方向をＸ方向とする。また、プラテン１３と直交する上下方向をＺ方向とする。
【００１８】
本体カバー１２の右側上部には、ディスプレイ１６ａと、各種操作スイッチ１６ｂとが設けられている。ディスプレイ１６ａは、例えばカラー液晶ディスプレイからなり、ユーザに対して必要なメッセージ等の表示を行う。各種操作スイッチ１６ｂは、後述する切断データに係る各種の選択や、指示等の操作を行う。
【００１９】
本体カバー１２内の機枠（図示略）には、左右方向に延びる駆動ローラ１７及びピンチローラ１８が設けられている。駆動ローラ１７及びピンチローラ１８は、プラテン１３上にセットされた保持部材１００の両端部分を上下方向から挟む。本体カバー１２内には、Ｙ軸モータ２２（図２参照）とＹ軸移動機構（図示略）が設けられている。Ｙ軸移動機構は、Ｙ軸モータ２２の回転運動を駆動ローラ１７に伝達することで、保持部材１００をシート材２００と共にＹ方向へ移動させる。
【００２０】
また、本体カバー１２内の機枠には、キャリッジ１５をＸ方向へガイドするＸ軸ガイドレール１９が設けられている。本体カバー１２内には、Ｘ軸モータ２１（図２参照）とＸ軸移動機構（図示略）が設けられている。Ｘ軸移動機構は、Ｘ軸モータ２１の回転により、キャリッジ１５をＸ軸ガイドレール１９に沿ってＸ方向へ移動させる。
【００２１】
キャリッジ１５の前側には、カートリッジホルダ１５ａが設けられている。カートリッジホルダ１５ａには、カッタカートリッジ１４が着脱可能に装着される。また、キャリッジ１５内には、Ｚ軸モータ２３（図２参照）とＺ軸移動機構（図示略）が設けられている。Ｚ軸移動機構は、Ｚ軸モータ２３の回転により、カートリッジホルダ１５ａをカッタカートリッジ１４と共にＺ方向へ移動させる。
【００２２】
詳しい図示は省略するが、Ｚ軸移動機構によりカートリッジホルダ１５ａが下方へ移動されると、カッタカートリッジ１４下端に設けられたカッタの刃先は、保持部材１００に保持されたシート材２００に貫通する。この状態で、切断装置１１は、Ｙ軸モータ２２の駆動によりＹ軸移動機構を介して保持部材１００をＹ方向へ移動させると共に、Ｘ軸モータ２１の駆動によりＸ軸移動機構を介してキャリッジ１５をＸ方向へ移動させることで、シート材２００に対する切断動作を実行する。こうして、Ｘ軸移動機構、Ｙ軸移動機構、及びＺ軸移動機構、並びに対応するモータ２１，２２，２３は、カッタカートリッジ１４のカッタと保持部材１００に保持されたシート材２００とを相対的に移動させる相対移動手段として機能する。また、相対移動手段は、カッタカートリッジ１４と共に切断手段を構成する。
【００２３】
なお、切断装置１１では、例えば図１に示す保持部材１００における粘着層１０１の左角部を原点ＯとしたＸＹ座標系が設定され、そのＸＹ座標系に基づいて上記した保持部材１００とカッタカートリッジ１４との相対移動が行われる。また、切断装置１１では、カッタカートリッジ１４の他、印刷手段としてのペンカートリッジ（図示略）が用意されている。それ故、これらカートリッジをカートリッジホルダ１５ａに対して択一的に装着することで、シート材２００に対する切断動作又は印刷動作の実行が可能である。なお、切断装置１１の詳細な構成については、本願出願人が出願した特開２０１４−１２４７４８号公報と同様の構成を採用することができ、その説明を省略する。
【００２４】
図２に示すように、切断装置１１の制御回路２５は、コンピュータ（ＣＰＵ）を主体に構成されており、ＲＯＭ２６、ＲＡＭ２７、通信部１１１ｂが夫々接続されている。ＲＯＭ２６には、切断動作（或いは印刷動作）を制御するための制御プログラム等が記憶されている。制御回路２５は、通信部１１１ｂ（通信ケーブル１１１）を介して、切断データ作成装置１で作成された切断データを取得する。
また、制御回路２５には、ディスプレイ１６ａ、各種操作スイッチ１６ｂが接続されると共に、Ｘ軸モータ２１、Ｙ軸モータ２２、Ｚ軸モータ２３を夫々駆動する駆動回路２１ａ，２２ａ，２３ａが接続されている。制御回路２５は、切断データに基づいて、Ｘ軸モータ２１、Ｙ軸モータ２２、Ｚ軸モータ２３等を制御し、保持部材１００に保持されたシート材２００に対する切断動作を自動で実行させる。
【００２５】
さて、図３（ａ）に示す装飾物５１は、上記の切断装置１１によりシート材２００から切り抜いた１枚のシート片（シート）２０を、ジグザグ状（蛇腹状）に折り重ねることで作製されたものである。装飾物５１は、「星形」の図柄と、その中心部の「三角形」の図柄を表す。ここで、図３（ｂ）は、装飾物５１が１枚のシート片２０をジグザグ状に折り重ねた構成にあることを示す為に、シート片２０を折り重ねていない状態、即ちシート片２０を展開した状態を示している。図３（ｃ）は、図柄が凹状になっていることを示す為に、便宜上、シート片２０を折り線４１〜４３の位置で分けてずらした状態で示している。
【００２６】
図３（ａ）の装飾物５１が表す図柄において、「星形」を第１部分模様Ａとし、その第１部分模様Ａの内側の小さい「星形」を第２部分模様Ｂとする。第２部分模様Ｂの内側の「三角形」を第３部分模様Ｃとする。また、装飾物５１の枠模様つまり「周囲（背景）」を構成する正方形のパーツを第４部分模様Ｄとする。装飾物５１を構成するシート片２０は、図３（ｂ）に示すように展開した状態で、その展開方向に延びる帯形状をなしている。この状態における、シート片２０全体の外形線は、シート片２０の折り重ねる単位を画する４つの枠線３０〜３３（図４参照）を展開方向に繋げた枠線３００である。
【００２７】
即ち、枠線３００は、シート片２０を４つのシート部２０−０，２０−１，２０−２，２０−３に画する４つの枠線３０，３１，３２，３３を展開方向に連接してなる。このうち、枠線３０は、第４部分模様Ｄの輪郭線を表す基台シート部２０−０の領域を画し、枠線３１，３２，３３は、第１、第２、第３部分模様Ａ，Ｂ，Ｃの夫々の外方の周囲領域を画する（図３（ｃ）参照）。本実施形態の枠線３０〜３３は、例えば何れも同じ寸法形状の正方形である。枠線３０は、第４部分模様Ｄの輪郭線に対応する。このように、シート片２０は、４つの部分模様Ａ〜Ｄを「周囲」の枠線３０〜３３を介して繋げた形状となっている。
部分模様Ａ〜Ｃの輪郭線と全体の枠線３００とを切断したシート片２０を、シート部２０−０〜２０−３単位でジグザグ状に折り重ねる。これにより、図３（ａ）に示す部分模様Ａ，Ｂ，Ｃのなす「星形」と「三角形」の模様と、「周囲」の部分模様Ｄが組み合わさった全体模様Ｍが表される。
【００２８】
このときの装飾物５１は、図３（ｃ）の分解図で示すように、基台シート部２０−０の前側に、第３部分模様Ｃを切り欠いたシート部２０−１、第２部分模様Ｂを切り欠いたシート部２０−２、第１部分模様Ａを切り欠いたシート部２０−３の順に折り重なって、「星形」と「三角形」とが凹状に表わされる。この場合、シート片２０が、例えば表面２０Gが緑色で、裏面２０Yが黄色の両面色紙であるとすると、装飾物５１は、シート部２０−０，２０−２表面２０Gの緑色と、折り重ねることで表裏反転したシート部２０−１、２０−３裏面２０Yの黄色との２色で表わされる。また、シート片２０には、上記したジグザグ折りの折り線位置を示す切断線である谷折り線４１と、山折り線４２と、谷折り線４３とが交互に形成される。谷折り線４１，４３は、シート片２０を谷折りすることを示し、山折り線４２は、シート片２０を山折りすることを示す。各折り線４１〜４３はミシン目状の切断線であって、例えば、谷折り線４１，４３が破線の切断線、山折り線４２が一点鎖線の切断線として形成されている。なお、谷折り線と山折り線の種類（線種）は、上記に限定されない。
【００２９】
以下では、装飾物５１を作製する為に、シート材２００を切断する切断データを「折り重ね用切断データ」とする。なお、シート片２０の折り重ねにより、基台シート部２０−０の前側に重なるシート部２０−１〜２０−３を、基台シート部２０−０側から順番に第１、第２、第３シート部と称する。また、図３等における符号２０の末尾の数字「−０」、「−１」、「−２」、「−３」は、基台シート部、第１シート部、第２シート部、第３シート部であることを示す。図３におけるシート片２０等の末尾の符号「G」及び「Y」は、シート片２０の表裏の色に対応しており、「G」は緑色、「Y」は黄色であることを示す。更に、説明の便宜上、第１部分模様Ａ〜第４部分模様Ｄを、以後、単に「部分模様Ａ」〜「部分模様Ｄ」と称する。
【００３０】
前記折り重ね用切断データは、図５に示すように各部分模様Ａ〜Ｃや、枠線３００、折り重ねの目印（折り線）を順次切断する為のフィードデータ、座標データ、及び終了コードと、図示しない表示用のデータとを含む。
前記座標データは、切断装置１１のＸＹ座標系で規定されており、図５で上側に示す２組の「第１座標データ（ｘ１，ｙ１）…第１０座標データ（ｘ１０，ｙ１０）」は、部分模様Ａ、Ｂの切断線を切断する為の座標値を表す。
【００３１】
図４（ａ）の部分模様Ａの切断線は、図４（ｂ）の部分模様Ｂと相似形をなすが、部分模様Ｂとは１８０度反転させた向き（後述する「対称形状」となる向き）に設定されている。部分模様Ａの切断線は、１０個の線分Ａ１，Ａ２，…Ａ１０を輪郭線とする「星形」である。部分模様Ａの切断線データは、切断開始点Ｐ０、点Ｐ１、…切断終了点Ｐ１０の夫々に対応するフィードデータ（Ｆ１ｘ０，Ｆ１ｙ０）、第１座標データ（ｘ１，ｙ１）、…第１０座標データ（ｘ１０，ｙ１０）を有する。フィードデータは、切断開始に際して切断装置１１の前記カッタを切断開始点Ｐ０へ移動させるデータである。つまり、フィードデータに基づいて、切断を伴わないフィード時におけるキャリッジ１５の切断開始点Ｐ０への移動と、カッタの上下動とが行われる。
【００３２】
図４（ｂ）の部分模様Ｂの切断線は、１０個の線分Ｂ１，Ｂ２，…Ｂ１０を輪郭線とする「星形」であり、部分模様Ｂの切断線データは、切断開始点Ｐ０、点Ｐ１、…切断終了点Ｐ１０の夫々に対応するフィードデータ（Ｆ２ｘ０，Ｆ２ｙ０）、第１座標データ（ｘ１，ｙ１）、…第１０座標データ（ｘ１０，ｙ１０）を有する。
図４（ｃ）の部分模様Ｃの切断線は、３個の線分Ｃ１，Ｃ２，Ｃ３を輪郭線とする「三角形」である。部分模様Ｃの切断線の向きは、部分模様Ａと同様、「対称形状」となる向きに設定されている。部分模様Ｃの切断線データは、切断開始点Ｐ０、点Ｐ１、点Ｐ２、切断終了点Ｐ３の夫々に対応するフィードデータ（Ｆ３ｘ０，Ｆ３ｙ０）、第１座標データ（ｘ１，ｙ１）、第２座標データ（ｘ２，ｙ２）、第３座標データ（ｘ３，ｙ３）を有する。
【００３３】
図４（ｄ）の部分模様Ｄは、「周囲」を構成する正方形の輪郭線を有する。部分模様Ｄは、前述したように複数の部分模様Ｄを繋げた形状、つまり全体の枠線３００として切り抜かれるため、基台シート部２０−０の枠線３０のうち、線分３０ｂ，３０ｃ，３０ｄ（図４（ｄ）、図７（ｃ）参照）が切断線となる。枠線３００の切断線データは、切断開始点Ｐ０、点Ｐ１、…切断終了点Ｐ４の夫々に対応するフィードデータ（Ｆ４ｘ０，Ｆ４ｙ０）、第１座標データ（ｘ１，ｙ１）、…第４座標データ（ｘ４，ｙ４）を有する（図５、図７（ｃ）参照）。
【００３４】
図５の下側に示す第１、第２、第３折り線の切断線データは、谷折り線４１、山折り線４２、谷折り線４３に夫々対応する。各折り線４１〜４３の切断線データは、フィードデータ（Ｆ４ｘ０，Ｆ４ｙ０）〜や、座標データ（ｘ１，ｙ１）、ミシン目状の切断線の属性フラグ（図示略）を含む。属性フラグは、部分模様Ａ〜Ｃや枠線３００を切断するときの通常の切断線と、各折り線４１〜４３となるミシン目状の切断線とを区別するために付されるデータである。なお、ミシン目状の切断線は、制御回路２５が、切断動作中に、線分４１〜４３の種類に応じてカッタを間欠的に上下動させる制御を行うことで形成される。なお、図５に示すように、第３折り線４３の座標データの末尾は「終了コード」とされている。
【００３５】
切断装置１１の制御回路２５は、折り重ね用切断データに基づいて、上記した部分模様Ａ，Ｂ，Ｃ、枠線３００、第１、第２、第３折り線４１，４２，４３の順に、シート材２００の切断を行うように切断手段を制御する。即ち、先ずＸ軸移動機構及びＹ軸移動機構により、カッタカートリッジ１４即ちカッタを、切断開始点Ｐ０のＸＹ座標位置へ相対的に移動させる。次いで、Ｚ軸移動機構により、前記カッタの刃先をシート材２００における部分模様Ａの切断開始点Ｐ０に貫通させる。この状態で、Ｘ軸移動機構及びＹ軸移動機構により、当該刃先を、各点Ｐ０、Ｐ１、…を順次繋ぐようにして、夫々の座標へ向けて相対的に移動させ、線分Ａ１，Ａ２、…に沿ってシート材２００を切断する。こうして、切断終了点Ｐ１０までカッタを相対移動させることで、部分模様Ａ、つまり「星形」の輪郭線に沿って切断を行う。同様に、部分模様Ｂ，Ｃの各輪郭線、枠線３００、及び各折り線４１〜４３についても、夫々の切断線データに基づきカッタを相対移動させて順次切断する。
【００３６】
制御回路２５は、第３折り線４３の切断を終えると、前記終了コードに基づき、カッタの刃先をシート材２００から離間させて、キャリッジ１５の待機位置である原点Ｏへ移動させる。上記の切断動作により、部分模様Ａ〜Ｃの輪郭線、枠線３００、各折り線４１〜４３について夫々の切断線を切断して、シート材２００からシート片２０を切り抜くことができる。
【００３７】
次に、上記構成の作用について、図６〜図１３を参照しながら説明する。ここで、図８〜図１３のフローチャートは、切断データ作成装置１の制御回路５が実行する切断データ作成プログラムの流れを示している。
切断データ作成装置１において、制御回路５は、切断データ作成のプログラムを起動すると、図８に示す処理を実行する。先ず、制御回路５は、折り重ね用切断データの元とする図柄画像データを受け付ける（ステップＳ１）。具体的には例えば、「星形」と「三角形」の図柄が描かれた原画を、ユーザの入力操作に基づきイメージスキャナ１０により読み取らせることで、制御回路５は、図柄画像データを取得する（ステップＳ２にてＹＥＳ）。前記原画に描画された図柄は、図３（ａ）の装飾物５１を作製する為の図柄であって、後述するように、「周囲」、「縁取部」、「星形」、「三角形」と称す４つのパーツから構成される図柄とする（図６（ａ）参照）。図柄の色としては、「周囲」は黄色、「縁取部」は緑色、「星形」は黄色、「三角形」は緑色である。詳しく説明すると、第１部分模様Ａ（「星形」）の外側領域が黄色、第１部分模様Ａの内側且つ第２部分模様Ｂ（小さい「星形」）の外側領域が緑色、第２部分模様Ｂの内側且つ第３部分模様Ｃ（「三角形」）の外側領域が黄色、第３部分模様Ｃの内側領域が緑色である。
【００３８】
制御回路５は、装飾物５１の枠模様となる「周囲」の枠線３０〜３３を設定する為の処理を行う（ステップＳ３）。ここで、本実施形態の枠線３０〜３３は、何れも同じ形状に設定されるものとし、その具体的形状について、次のステップＳ４で図柄画像データに基づき特定する設定を行うものとする。
【００３９】
図９は、ステップＳ４の重なり順決定処理を示している。重なり順決定処理において、制御回路５は、図柄画像データを周知の画像処理の手法で処理して、各輪郭線を色毎に抽出する（ステップＳ１１）。このとき例えば、図６（ａ）で左から順に示すように、前記の「周囲」、「縁取部」、「星形」、「三角形」の輪郭線が順次抽出されるものとする。図６（ａ）の丸で囲った「０」〜「３」の番号は抽出の順番であり、抽出される輪郭線の総数ｎは４つである。各輪郭線は、座標データを含むベクトルデータとして抽出され、前記抽出の順番に対応する「０」〜「３」の模様番号が付与される。
【００４０】
また、この場合、制御回路５は、図柄画像データに基づいて、「周囲」と「星形」における夫々の画素の集合を黄色の単色領域、「縁取部」と「三角形」における夫々の画素の集合を緑色の単色領域として識別する。制御回路５は、識別した各単色領域の色を、後述するレイヤ５０G〜５０Y（図６（ｂ）参照）の色としてＲＡＭ７に記憶する。こうして、制御回路５は、図６（ａ）の模様番号が０の「周囲」について、黄色の単色領域が枠模様を切断するための輪郭線で画された（囲われた）パーツ、つまり部分模様Ｄとして識別する。模様番号が１の「縁取部」について、緑色の単色領域を画する輪郭線を有する部分模様Ａとして識別し、模様番号が２の「星形」について、黄色の単色領域を画する輪郭線を有する部分模様Ｂとして識別する。更に、模様番号が３の「三角形」について、緑色の単色領域を画する輪郭線を有する部分模様Ｃとして識別する。
【００４１】
これにより、制御回路５は、各輪郭線と、夫々の単色領域を表す各レイヤ５０G〜５０Yとの対応付けが可能となる。また、制御回路５は、各レイヤ５０G〜５０Yの枠線３０〜３３の設定処理を行う。本実施形態では、最も外側の「周囲」の輪郭線が、前述した正方形の枠線３０〜３３（図６（ｂ）参照）として設定されるものとする。そして、制御回路５は、部分模様Ａ〜Ｄ間の包含に関する情報を取得する包含情報取得処理に移行する（ステップＳ１２）。
【００４２】
図１０に示すように、包含情報取得処理では、先ず初期設定が行われる（ステップＳ２１）。ここで、制御回路５は、複数の部分模様Ａ〜Ｄのうち一の部分模様と他の部分模様との包含関係を判別すべく、夫々の模様番号に対応する一のカウンタｉと他のカウンタ（対象カウンタｊ）を０にリセットして初期化する（ｉ＝ｊ＝０）。また、制御回路５は、各部分模様の階層の深さを表すｈ（ｉ）を０にリセットする。階層の深さｈ（ｉ）とは、部分模様相互間で包含される数を階層の深さとして表すものであり、「周囲」の部分模様Ｄの階層を最上位階層（深さ０）とした時の、各部分模様Ａ〜Ｄの階層の深さｈ（０）〜ｈ（ｎ−１）である。
【００４３】
制御回路５は、カウンタｉと対象カウンタｊの値が夫々輪郭線の総数ｎより小さく（ステップＳ２２，Ｓ２３でＹＥＳ）且つそれらカウンタｉ，ｊの値が相互に一致しないこと（ステップＳ２４にてＮＯ）を条件に、部分模様の包含関係を判別する。現時点では、カウンタｉ，ｊの値が何れも０であるため（ステップＳ２４にてＹＥＳ）、模様番号が０の部分模様Ｄ，Ｄ同士で包含関係が判別されることはない。そこで、制御回路５は、部分模様Ｄとの判別対象を変更すべく、ステップＳ２７で対象カウンタｊを１だけインクリメントした１として（ｊ＝１）、ステップＳ２３にリターンする。
【００４４】
この場合、対象カウンタｊの値は、輪郭線の総数ｎより小さく且つカウンタｉの値と一致しないことから、ステップＳ２３，Ｓ２４に係る条件を満たす。このとき、制御回路５は、一のOutline（ｉ）として模様番号ｉが０の部分模様Ｄの輪郭線が、他のOutline（ｊ）として模様番号ｊが１の部分模様Ａの輪郭線に包含されているか否かを判別する（ステップＳ２５）。Outline（ｉ）或いはOutline（ｊ）は、模様番号をｉ或いはｊとする部分模様の輪郭線のベクトルデータの集合を表す情報である。このとき、制御回路５は、各輪郭線の座標データに基づいて、部分模様ＤのOutline（０）が部分模様ＡのOutline（１）に包含されていないと判別する（ステップＳ２５にてＮＯ、図６（ａ）参照）。
【００４５】
この後、制御回路５は、ステップＳ２７で対象カウンタｊを１だけインクリメントした２として（ｊ＝２）、ステップＳ２３にリターンする。制御回路５は、対象カウンタｊの値が２の場合も、前記ステップＳ２３，Ｓ２４に係る条件を満たすと判断し、模様番号ｉが０の部分模様ＤのOutline（０）について、模様番号ｊが２の部分模様ＢのOutline（２）に包含されていないと判別する（ステップＳ２５にてＮＯ、図６（ａ）参照）。
【００４６】
このように、部分模様ＤのOutline（０）は、他の部分模様Ａ，Ｂ，Ｃを囲う形状であることから、当該他の部分模様Ａ，Ｂ，ＣのOutline（ｊ）に包含されると判別されない。このため、制御回路５は、部分模様ＤのOutline（０）について、ステップＳ２３〜Ｓ２５、Ｓ２７を繰り返し実行し、模様番号ｊが３の部分模様ＣのOutline（３）との包含関係まで判別しても、ステップＳ２６が実行されず、部分模様Ｄの階層の深さｈ（０）は０のままである。それ故、制御回路５は、対象カウンタｊの値が輪郭線の総数ｎである４に達したと判断すると（ステップＳ２３にてＮＯ）、部分模様Ｄの階層の深さｈ（０）を０としてＲＡＭ７に記憶させる（ステップＳ２８）。
【００４７】
続いて、制御回路５は、対象カウンタｊを０にリセットすると共にカウンタｉを１だけインクリメントすることで（ステップＳ２９）、模様番号ｉが１の部分模様Ａについて、前記ステップＳ２２〜Ｓ２７を実行する。
この場合、制御回路５は、カウンタｉが１、対象カウンタｊが０であることから（ステップＳ２２，Ｓ２３で夫々ＹＥＳ、且つステップＳ２４にてＮＯ）、部分模様ＡのOutline（１）と部分模様ＤのOutline（０）との包含関係を判別する（ステップＳ２５）。制御回路５は、部分模様ＡのOutline（１）が部分模様ＤのOutline（０）に包含されていると判断すると（ステップＳ２５にてＹＥＳ）、部分模様Ａの階層の深さｈ（１）を１だけインクリメントして１とする（ステップＳ２６）。
【００４８】
この後、制御回路５は、模様番号ｉが１の部分模様Ａについて、対象カウンタｊを１ずつインクリメントして（ステップＳ２７）、包含関係を判別する対象を順次変更して処理を実行するが、対象カウンタｊが１のときｉ＝ｊとなる（ステップＳ２４にてＹＥＳ）。また、対象カウンタｊが２，３のとき、部分模様ＡのOutline（１）が他の部分模様Ｂ，ＣのOutline（２）、（３）に包含される関係にない（ステップＳ２５にてＮＯ、図６（ａ）参照）。このため、制御回路５は、部分模様ＡのOutline（１）について、ステップＳ２３〜Ｓ２５、Ｓ２７を繰り返し実行し、模様番号ｊが３の部分模様ＣのOutline（３）との包含関係まで判別して、対象カウンタｊの値が４に達した時点で（ステップＳ２３にてＮＯ）、部分模様Ａの階層の深さ（ｈ（１）＝１）をＲＡＭ７に記憶させる（ステップＳ２８）。
【００４９】
続いて、制御回路５は、対象カウンタｊを０にリセットすると共にカウンタｉを１だけインクリメントすることで（ステップＳ２９）、模様番号ｉが２の部分模様Ｂについて、前記ステップＳ２２〜Ｓ２７を実行する。
この場合、制御回路５は、カウンタｉが２、対象カウンタｊが０であることから（ステップＳ２２，Ｓ２３で夫々ＹＥＳ、且つステップＳ２４にてＮＯ）、部分模様ＢのOutline（２）と部分模様ＤのOutline（０）との包含関係を判別する（ステップＳ２５）。制御回路５は、部分模様ＢのOutline（２）が部分模様ＤのOutline（０）に包含されていると判断すると（ステップＳ２５にてＹＥＳ）、部分模様Ｂの階層の深さｈ（２）を１だけインクリメントして１とする（ステップＳ２６）。
【００５０】
また、制御回路５は、対象カウンタｊの値を１だけインクリメントした１とし（ステップＳ２７）、部分模様ＢのOutline（２）と部分模様ＡのOutline（１）との包含関係を判別する（ステップＳ２３〜Ｓ２５）。制御回路５は、部分模様ＢのOutline（２）が部分模様ＡのOutline（１）に包含されていると判断すると（ステップＳ２５にてＹＥＳ）、部分模様Ｂの階層の深さｈ（２）を１だけインクリメントして２とする（ステップＳ２６）。
【００５１】
この後、制御回路５は、模様番号ｉが２の部分模様Ｂについて、対象カウンタｊを１ずつインクリメントして（ステップＳ２７）、包含関係を判別する対象を順次変更して処理を実行するが、対象カウンタｊが２のときｉ＝ｊとなる（ステップＳ２４にてＹＥＳ）。また、対象カウンタｊが３のとき、部分模様ＢのOutline（２）が他の部分模様ＣのOutline（３）に包含される関係にない（ステップＳ２５にてＮＯ）。このため、制御回路５は、部分模様ＢのOutline（２）について、ステップＳ２３〜Ｓ２５、Ｓ２７を繰り返し実行し、対象カウンタｊの値が４に達した時点で（ステップＳ２３にてＮＯ）、部分模様Ｂの階層の深さ（ｈ（２）＝２）をＲＡＭ７に記憶させる（ステップＳ２８）。
【００５２】
また、制御回路５は、対象カウンタｊを０にリセットすると共にカウンタｉを１インクリメントして（ステップＳ２９）、模様番号ｉが３の部分模様Ｃについても、上記した部分模様Ｄ，Ａ，Ｂと同様に、他の部分模様との包含関係を判別して階層の深さｈ（３）を求める処理（ステップＳ２２〜Ｓ２７）を実行する。この場合、模様番号ｉが３の部分模様ＣのOutline（３）は部分模様Ｄ，Ａ，Ｂの３つのOutline（０）〜（２）に包含される関係にあることから、部分模様Ｃの階層の深さｈ（３）は３となる（ステップＳ２６）。こうして、制御回路５は、全ての部分模様Ｄ，Ａ〜Ｃについて、夫々の階層の深さを対応付けて記憶させ（ステップＳ２８）、カウンタｉの値が４に達すると（ステップＳ２９、ステップＳ２２にてＮＯ）、ステップＳ１３にリターンする。
【００５３】
図１１は、ステップＳ１３における重なり順の並び替え処理を示している。この並び替え処理では、前記ステップＳ１１で抽出した各部分模様Ａ〜Ｄについて、前述した凹状の全体模様Ｍとなるように部分模様の順番を入れ替える。部分模様の順番の入れ替えは、図６（ａ）の丸で囲った模様番号と各Outline（０）〜（３）との対応付けを、部分模様の階層の深さに基づき変更することにより行う。
【００５４】
具体的には、図１１のステップＳ３１において、制御回路５は、一の部分模様のカウンタｉを０にリセットする。次に、ステップＳ３２で、制御回路５は、カウンタｉの値が輪郭線の総数ｎ−１よりも小さいか否かを判断する。最初は、カウンタｉの値が輪郭線の総数ｎ−１よりも小さい０であるため、ステップＳ３３に移行する。これに対し、カウンタｉの値が輪郭線の総数ｎ−１と等しいか又は大きい場合、ステップＳ４０に移行する。
【００５５】
制御回路５はステップＳ３３において、他の部分模様の対象カウンタｊを、カウンタｉに１だけインクリメントして（ｊ＝ｉ＋１）、１に設定する。次に、ステップＳ３４で、制御回路５は、対象カウンタｊの値が輪郭線の総数ｎよりも小さいか否かを判断する。対象カウンタｊの値が輪郭線の総数ｎよりも小さい場合は、ステップＳ３５に移行する。これに対し、対象カウンタｊの値が輪郭線の総数ｎに等しいか又は大きい場合、ステップＳ３９に移行する。ステップＳ３５では、制御回路５は、カウンタｉが対象カウンタｊと等しいか否かを判断する。カウンタｉの値が対象カウンタｊの値と等しい場合、ステップＳ３８に移行する。カウンタｉの値が対象カウンタｊの値と等しくない場合、ステップＳ３６に移行する。
【００５６】
ステップＳ３６において、制御回路５は、対象カウンタｊの値に対応する模様番号１の部分模様Ａ（Outline（１））が、カウンタｉの値に対応する模様番号０の部分模様Ｄ（Outline（０））よりも階層が深いか否かを判別する。この場合、部分模様Ａの階層の深さ（図６（ａ）のｈ（１）参照）について、部分模様Ｄの階層の深さ（ｈ（０）＝０）よりも大きい１であると判別する（ステップＳ３６にてＹＥＳ）。このため、制御回路５は、部分模様Ａの模様番号が部分模様Ｄの模様番号よりも小さくなるよう（部分模様Ａが部分模様Ｄに対して後方へ凹となるよう）、順番を入れ替える（ステップＳ３７）。こうして、階層が深い部分模様Ａの模様番号を「０」とし、部分模様Ｄの模様番号を「１」とするように部分模様Ｄ，Ａの順番を変更する。なお、ステップＳ３６でＮＯの場合、制御回路５は、部分模様の順番を変更することなくステップＳ３８に移行する。
【００５７】
次に、制御回路５は、ステップＳ３８で対象カウンタｊの値を１だけインクリメントした２とする。その後、ステップＳ３４に戻り、同様の処理を繰り返す。即ち、制御回路５は、判別対象を模様番号２の部分模様Ｂとして、カウンタｉの値に対応する模様番号０の部分模様Ａとの階層の深さの関係を判別する（ステップＳ３６）。この場合、部分模様Ｂは、部分模様Ａよりも階層が深いため（ステップＳ３６にてＹＥＳ）、部分模様Ｂの模様番号を「０」とし、部分模様Ａの模様番号を「２」とするように部分模様Ａ，Ｂの順番を変更する。
【００５８】
また、制御回路５は、ステップＳ３８で対象カウンタｊの値を１だけインクリメントした３とした後、ステップＳ３４に戻り、同様の処理を繰り返す。即ち、判別対象を模様番号３の部分模様Ｃとして、模様番号０の部分模様Ｂとの階層の深さの関係を判別する（ステップＳ３６）。この場合、部分模様Ｃは、部分模様Ｂよりも階層が深いため（ステップＳ３６にてＹＥＳ）、制御回路５は、部分模様Ｃの模様番号を「０」、部分模様Ｂの模様番号を「３」とするように部分模様Ｂ，Ｃの順番を変更する。
【００５９】
こうして、カウンタｉの値が０のまま、対象カウンタｊの値が１ずつインクリメントして（ステップＳ３８）輪郭線の総数ｎの値である「４」に達した時点で（ステップＳ３４にてＮＯ）、模様番号０の部分模様Ｃ、模様番号１の部分模様Ｄ、模様番号２の部分模様Ａ、模様番号３の部分模様Ｂの順番となる。
【００６０】
また、制御回路５は、カウンタｉの値を１だけインクリメントした１とし（ステップＳ３９）、対象カウンタｊの値をカウンタｉに１だけインクリメントした２とする（ステップＳ３３）。これにより、カウンタｉの値に対応する模様番号１の部分模様Ｄと、対象カウンタｊの値に対応する模様番号２以降の部分模様Ａ，Ｂとの間で、階層の深さの関係を順次判別して部分模様Ｄ，Ａ，Ｂの順番を入れ替える（ステップＳ３４〜Ｓ３８）。この結果、対象カウンタｊの値が４に達した時点で（ステップＳ３４にてＮＯ）、模様番号０の部分模様Ｃ、模様番号１の部分模様Ｂ、模様番号２の部分模様Ｄ、模様番号３の部分模様Ａの順番となる。
【００６１】
更に、制御回路５は、上記のようにカウンタｉと対象カウンタｊの値を夫々インクリメントし（ｉ＝２、ｊ＝３、ステップＳ３９、Ｓ３３）、模様番号２，３の部分模様Ｄ，Ａについて、ステップＳ３４〜Ｓ３８を実行することで、夫々の階層の深さに基づき順番を入れ替える。この結果、対象カウンタｊの値が４に達し（ステップＳ３８）、カウンタｉの値がｎ−１（つまり３）に達すると（ステップＳ３９、ステップＳ３２にてＮＯ）、模様番号０の部分模様Ｃ、模様番号１の部分模様Ｂ、模様番号２の部分模様Ａ、模様番号３の部分模様Ｄの順番となる（図６（ｂ）上段参照）。こうして、制御回路５は、全体模様Ｍを凹状に表す部分模様Ｃ，Ｂ，Ａ，Ｄの順番として、図６（ｂ）の四角で囲った「０」〜「３」の番号で示すように、最下位階層から順に小さい模様番号が付されるように変更する。
【００６２】
また、制御回路５は、ステップＳ４０において、レイヤ５０G〜５０Yに対し、部分模様の輪郭線を変更後の前記順番に基づきレイヤ５０G〜５０Y毎に設定する処理を行う。このレイヤの設定処理について、図６（ｂ）〜（ｄ）を参照しながら説明する。ここで、図６（ｂ）の下段に示すレイヤ５０G、５０Y、５０G、５０Yは、前述したように上段の部分模様Ｃ，Ｂ，Ａ，Ｄの単色領域を表すものとして関連付けてある。従って、レイヤ５０G〜５０Yの順番は、模様番号つまりシート片２０を折り重ねたときに基台シート部の前側に重なるシート部の順番に対応する。よって、制御回路５は、基台シート部に相当する基台レイヤ５０には順番「０」を、第１シート部に相当する第１レイヤ５０には順番「１」を、第２シート部に相当する第２レイヤ５０には順番「２」を、第３シート部に相当する第３レイヤ５０には順番「３」を付与する。以下では、図６（ｂ）の左側から順に基台レイヤ５０G−０、第１レイヤ５０Y−１、第２レイヤ５０G−２、第３レイヤ５０Y−３とする。
【００６３】
図３（ｃ）、図６（ｄ）に示すように、全体模様Ｍを凹状に表す場合、最も前側のシート部２０−３（第３レイヤ５０Y−３）に対して、部分模様Ａ〜Ｃの内方を、後側のシート部２０−０〜２０−２（基台レイヤ５０G−０〜第２レイヤ５０G−２）で表す。そこで、制御回路５は、当該レイヤの設定処理において、部分模様Ａ〜Ｃの輪郭線を、夫々１つ上位の階層のレイヤ５０Y−１〜５０Y−３に対して設定する。これにより、レイヤと部分模様の輪郭線との対応付けは、図６（ｃ）に示すように順番が「１」のレイヤ５０Y−１と部分模様Ｃ、順番が「２」のレイヤ５０G−２と部分模様Ｂ、順番が「３」のレイヤ５０Y−３と部分模様Ａとして入れ替える。また、順番が「０」の基台レイヤ５０G−０には、部分模様Ｄの輪郭線が枠線３０として対応付けられ、他のレイヤ５０G−１〜５０Y−３にも、共通する形状の枠線３１〜３３が夫々対応付けられている（前記ステップＳ３，Ｓ１１参照）。こうして、制御回路５は、レイヤ５０G−０〜５０Y−３毎に対応付けられた枠線及び部分模様の輪郭線のベクトルデータの集合を「LayeredLine」としてＲＡＭ７に記憶させる。
【００６４】
この後、制御回路５は、図９のステップＳ１４にリターンして、ディスプレイ３に、「基台シート部有り」と「基台シート部無し」との何れかを選択するシート部設定画面（図示略）を表示させる。ユーザは、シート部設定画面を見ながらマウス４ｂ等の入力部４を操作して係る選択を行う。制御回路５は、その入力部４からの選択指令に基づいて、基台シートの有無を決定すると、ステップＳ５にリターンして、折り重ね用切断データ作成処理に移行する（図１２参照）。なお、以下では「基台シート部有り」に決定したものとして説明する。
【００６５】
折り重ね用切断データ作成処理において、制御回路５は、先ずレイヤ５０G−０〜５０Y−３相互間で枠線３０〜３３を繋げて連接する連接方向を設定する（ステップＳ４１）。詳しくは後述するように、レイヤ５０G−０〜５０Y−３の連接方向は、その枠線３０〜３３の形状に応じた４つの方向（図１４の矢印４００〜４０３参照）のうちの何れかとなる。本実施形態では、図７の紙面右方向をＸ軸正方向とし、下方向をＹ軸正方向とした前記ＸＹ座標系において、当該連接方向を、デフォルトでＹ軸負方向に指定する（図７の矢印４００参照）。このようなデフォルト方向は、制御回路５により、枠線３０〜３３の形状（座標データ）に応じて求められ、基台レイヤ５０G−０に対して、他のレイヤ５０Y−１〜５０Y−３を順次Ｙ軸負方向４００に並べて繋げる方向を特定する。
【００６６】
そして、制御回路５は、ステップＳ４２において、レイヤ５０G−０〜５０Y−３の順番に対応するカウンタｋを１に設定し、基台レイヤ５０G−０に対して、順番が「１」の第１レイヤ５０Y−１から連接するときの初期設定を行う。この場合、制御回路５は、前記折り線位置を特定するTmpLapLine（ｋ）をNullに設定する。TmpLapLine（ｋ）は、レイヤ毎に設定されたLayeredLine（ｋ）の枠線３０〜３３上における、折り線位置を示す線のベクトルデータの集合を表す情報である。
【００６７】
また、制御回路５は、初期設定として、CutOutlineを、LayeredLine（０）のベクトルデータ、つまり基台レイヤ５０G−０の枠線３０のベクトルデータに設定する（ステップＳ４３）。CutOutlineは、切断線データを作成するための、枠線や輪郭線のベクトルデータの集合を表す情報である。更に、制御回路５は、LayeredLine（０）の枠線３０上にCutLapLineを設定する。CutLapLineは、切断線データを作成するための、折り線位置を示す線のベクトルデータの集合を表す情報である。具体的には、CutLapLineは、前記ステップＳ４１で指定された連接方向に応じて、枠線３０上におけるＹ軸負方向４００側の線分３０ａに設定される（図７（ａ）の左側の太線参照）。
【００６８】
制御回路５は、ステップＳ４４において、カウンタｋがレイヤ数Ｎよりも小さいか否かを判断する。最初は、カウンタｋの値がレイヤ数Ｎよりも小さい１であるため、ステップＳ４５に移行する。これに対し、カウンタｋの値が、レイヤ数Ｎと等しい４か又はレイヤ数Ｎより大きい場合、ステップＳ５２に移行する。制御回路５は、ステップＳ４５において、カウンタｋの値が奇数か否かを判断する。カウンタｋの値が奇数の場合（ＹＥＳ）、ステップＳ４６に移行する一方、カウンタｋの値が偶数の場合（ＮＯ）、ステップＳ４７に移行する。このとき、ｋの値は１であることから（ステップＳ４５にてＹＥＳ）、ステップＳ４６へ移行する。
【００６９】
ステップＳ４６において、制御回路５は、現時点のカウンタｋの値（＝１）に対応する第１レイヤ５０Y−１について、そのLayeredLine（１）の枠線３１上にTmpLapLine（１）を設定する。この場合、図７（ａ）の太線で示すように、TmpLapLine（１）は、前記ステップＳ４１で指定された連接方向に基づき、当該枠線３１上におけるＹ軸負方向４００側の線分３１ａに設定される。TmpLapLine（１）として設定される線分３１ａ或は前記CutLapLineとして設定される線分３０ａは、注目する一のレイヤ５０Y−１（部分模様Ｃ）の枠線３１の一部と他のレイヤ５０G−０（部分模様Ｄ）の枠線３０の一部とを重ねるための重畳線である。これらの線分３０ａ，３１ａは、自身の線で折り返す折返し方向（或はＹ軸負方向４００）に直交する線であるが、折返し方向に略直交する線分で構成してもよい。
【００７０】
そして、制御回路５は、第１レイヤ５０Y−１について、TmpLapLine（１）の線分３１ａを基準に、部分模様Ｃ及び枠線３１が対称形状となるようにLayeredLine（１）を変換する（ステップＳ４８）。これにより、LayeredLine（１）は、線分３１ａを対称軸として、部分模様Ｃ及び枠線３１を線対称の形状としたデータに変換される（図４（ｃ）、図７（ａ）参照）。
【００７１】
続いて、制御回路５は、CutOutlineに設定されている基台レイヤ５０G−０のLayeredLine（０）と、第１レイヤ５０Y−１のLayeredLine（１）とを合成する（ステップＳ４９）。この合成において、制御回路５は、LayeredLine（０）の枠線３０とLayeredLine（１）の枠線３１とを、夫々のCutLapLine，TmpLapLine（１）たる線分３０ａ，３１ａで重畳させて繋げた長方形状に連接する（図７（ａ）参照）。これにより、制御回路５は、CutOutlineを、２つの枠線３０，３１を繋げた線分３１ｃ，３１ｄ，３０ｂ，３０ｃ，３０ｄ，３１ｂからなる枠線２９８と、部分模様Ｃの輪郭線とのベクトルデータに設定（更新）する。また、制御回路５は、重畳させた２つの線分３０ａ，３１ａを、１つのLapLine（０）として更新する。
【００７２】
なお、制御回路５は、前記ステップＳ４８，Ｓ４９の実行に伴い、第１レイヤ５０Y−１の黄色の単色領域を、緑色の単色領域を表す第１レイヤ５０G−１に変更する（図７（ａ）参照）。即ち、カウンタｋの値が奇数の場合（前記ステップＳ４５にてＹＥＳ）、対応するシート部２０−１が折り返しに伴い表裏反転するため、シート片２０の表裏の色に対応させて黄色から緑色のレイヤ５０G−１に変更する。
【００７３】
次に、制御回路５は、CutLapLineを、CutOutlineの枠線２９８上におけるＹ軸負方向４００側の線分３１ｃに設定する（ステップＳ５０）。また、制御回路５は、ステップＳ５１でカウンタｋの値を１だけインクリメントすることで、順番が「２」の第２レイヤ５０G−２を対象として、ステップＳ４４〜Ｓ５０を実行する。
この場合、カウンタｋの値は２であり（ステップＳ４４にてＹＥＳ）、制御回路５により、奇数でないと判断される（ステップＳ４５にてＮＯ）。また、制御回路５は、第２レイヤ５０G−２について、そのLayeredLine（２）の枠線３２上にTmpLapLine（２）を設定する。このとき、図７（ｂ）の太線で示すように、TmpLapLine（２）は、前記連接方向に基づき、枠線３２上における当該連接方向とは反対側（Ｙ軸正方向４０１側）の線分３２ｃに設定される。
【００７４】
続いて、制御回路５は、CutOutlineと、第２レイヤ５０G−２のLayeredLine（２）とを合成する（ステップＳ４９）。この合成において、制御回路５は、CutOutlineの枠線２９８と第２レイヤ５０G−２の枠線３２とを、夫々のCutLapLine，TmpLapLine（２）たる線分３１ｃ，３２ｃで重畳させて連接する（図７（ｂ）参照）。これにより、制御回路５は、CutOutlineを、枠線３０〜３２を繋げた線分３２ａ，３２ｂ，３１ｄ，３０ｂ，３０ｃ，３０ｄ，３１ｂ，３２ｄからなる枠線２９９と、部分模様Ｃ，Ｂの輪郭線とのベクトルデータに更新する。また、制御回路５は、重畳させた２つの線分３１ｃ，３２ｃを、１つのLapLine（１）として更新する。
【００７５】
更に、制御回路５は、CutLapLineを、CutOutlineの枠線２９９上におけるＹ軸負方向４００側の線分３２ａに設定する（ステップＳ５０）。また、制御回路５は、ステップＳ５１でカウンタｋの値を１だけインクリメントすることで、順番が「３」の第３レイヤ５０Y−３を対象として、ステップＳ４４〜Ｓ５０を実行する。
【００７６】
この場合、カウンタｋの値は３であり（ステップＳ４４にてＹＥＳ）、制御回路５により、奇数と判断される（ステップＳ４５にてＹＥＳ）。また、制御回路５は、第３レイヤ５０Y−３について、そのLayeredLine（３）の枠線３３上にTmpLapLine（３）を設定する（ステップＳ４６）。このとき、図７（ｃ）の太線で示すように、TmpLapLine（３）は、前記連接方向に基づき枠線３３上におけるＹ軸負方向４００側の線分３３ａに設定される。
そして、制御回路５は、第３レイヤ５０Y−３について、TmpLapLine（３）の線分３３ａを基準に、部分模様Ａ及び枠線３３が対称形状となるようにLayeredLine（３）を変換する（ステップＳ４８）。これにより、LayeredLine（３）は、線分３３ａを対称軸として、部分模様Ａ及び枠線３３を線対称の形状としたデータに変換される（図４（ａ）、図７（ｃ）参照）。
【００７７】
続いて、制御回路５は、CutOutlineと、第３レイヤ５０Y−３のLayeredLine（３）とを合成する（ステップＳ４９）。この合成において、制御回路５は、CutOutlineの枠線２９９とLayeredLine（３）の枠線３３とを、夫々のCutLapLine，TmpLapLine（３）たる線分３２ａ，３３ａで重畳させて連接する（図７（ｃ）参照）。これにより、制御回路５は、CutOutlineを、枠線３０〜３３を繋げた線分３３ｃ，３３ｄ，３２ｂ，３１ｄ，３０ｂ，３０ｃ，３０ｄ，３１ｂ，３２ｄ，３３ｂからなる枠線３００と、部分模様Ａ〜Ｃの輪郭線とのベクトルデータに設定する。また、制御回路５は、重畳させた２つの線分３２ａ，３３ａを、１つのLapLine（２）として更新する。なお、制御回路５は、第１レイヤ５０G−１と同様、第３レイヤ５０Y−３の黄色の単色領域を、緑色の単色領域に変更した第３レイヤ５０G−３に変更する（図７（ｃ）参照）。
【００７８】
この後、制御回路５は、CutLapLineを、CutOutlineの枠線３００上におけるＹ軸負方向４００側の線分３３ｃに設定する（ステップＳ５０）。また、制御回路５は、カウンタｋの値を１だけインクリメントすると（ステップＳ５１）、ステップＳ４４にて、カウンタｋの値「４」がレイヤ数Ｎに達したと判断する（ＮＯ）。
そこで、制御回路５は、CutOutlineとして設定された、LapLine（０）〜（２）を除く枠線３００と部分模様Ａ〜Ｃとの切断線データを作成する（ステップＳ５２）。このとき、全体の枠線３００の各点Ｐ０〜Ｐ４の座標データに基づいて、点Ｐ０を切断開始点及び切断終了点とする切断線データを作成する（図５、図７（ｃ）参照）。また、部分模様Ａの点Ｐ０〜Ｐ１０、部分模様Ｂの点Ｐ０〜Ｐ１０、部分模様Ｃの点Ｐ０〜Ｐ３の各座標データに基づいて、夫々の点Ｐ０を切断開始点及び切断終了点とする３つの輪郭線の切断線データが作成される（図５、図４（ａ）〜（ｃ）参照）。
【００７９】
更に、制御回路５は、ステップＳ５３において、LapLine（０）〜（２）に係る折り線の切断線データの作成処理を実行する（図１３参照）。この場合、制御回路５は、LapLineで繋げた順番に対応するカウンタｍを０にリセットし（ステップＳ６１）、そのカウンタｍの値がレイヤ数Ｎ−１よりも小さいか否かを判断する（ステップＳ６２）。最初は、カウンタｍの値がレイヤ数Ｎ−１よりも小さい０であるため、ステップＳ６３に移行する。これに対し、カウンタｍの値がレイヤ数Ｎ−１と等しいか又は大きい場合、ステップＳ５４へリターンする。
【００８０】
制御回路５は、ステップＳ６３において、カウンタｋの値が奇数か否かを判断する。カウンタｍの値が奇数の場合（ＹＥＳ）、ステップＳ６５に移行する一方、カウンタｍの値が偶数の場合（ＮＯ）、ステップＳ６４に移行する。
ステップＳ６４において、制御回路５は、現時点のカウンタｍの値（＝０）に対応するLapLine（０）について、谷折り線４１の切断線データを作成する。このとき、LapLine（０）の両端の点Ｐｓ，Ｐｅの座標データに基づいて（図７（ｃ）、図５参照）、その点Ｐｓを切断開始点、点Ｐｅを切断終了点として、谷折り線４１の破線を特定する属性フラグを含む切断線データを作成する。
【００８１】
次いで、制御回路５は、ステップＳ６６でカウンタｍの値を１だけインクリメントした１として（ｍ＝１）、ステップＳ６２にリターンする。制御回路５は、カウンタｍの値「１」について、レイヤ数Ｎ−１よりも小さく且つ奇数と判断する（ステップＳ６２，Ｓ６３で夫々ＹＥＳ）。この場合、制御回路５は、カウンタｍの値に対応するLapLine（１）について、山折り線４２の切断線データを作成する（ステップＳ６５）。このとき、LapLine（１）の両端の点Ｐｓ，Ｐｅの座標データに基づいて（図７（ｃ）、図５参照）、その点Ｐｓ、Ｐｅを切断開始点及び切断終了点とし、山折り線４２の一点鎖線を特定する属性フラグを含む切断線データを作成する。
【００８２】
また、制御回路５は、ステップＳ６６でカウンタｍの値を１だけインクリメントした２とし、そのカウンタｍの値「２」について、レイヤ数Ｎ−１よりも小さく且つ奇数でないと判断する（ステップＳ６２でＹＥＳ且つステップＳ６３でＮＯ）。この場合、制御回路５は、カウンタｍの値に対応するLapLine（２）について、谷折り線４３の切断線データを作成する（ステップＳ６４）。このとき、LapLine（２）の両端の点Ｐｓ，Ｐｅの座標データに基づいて（図７（ｃ）、図５参照）、それらの点Ｐｓ、Ｐｅを切断開始点及び切断終了点とし、谷折り線４３の破線を特定する属性フラグを含む切断線データを作成する。
【００８３】
この後、制御回路５は、カウンタｍの値を１だけインクリメントすると（ステップＳ６６）、ステップＳ６２にて、カウンタｍの値「３」がレイヤ数Ｎ−１に達したと判断し（ＮＯ）、ステップＳ５４へリターンする。こうして、制御回路５は、作成した各部分模様Ａ〜Ｃの輪郭線、枠線３００、及び各折り線４１〜４３の切断線データを、ＲＡＭ７に記憶する（ステップＳ５４）。また、制御回路５は、当該切断線データに、前述した終了コードや、表示用のデータ等を付加して、折り重ね用切断データの作成処理を終了する（エンド）。
【００８４】
なお、前記表示用のデータは、前記ステップＳ４０で記憶したレイヤ５０G−０〜５０Y−３を利用して、全体模様Ｍを凹状に表すことができる。即ち、図６（ｄ）に示すように、第１レイヤ５０Y−１について部分模様Ｃの輪郭内を切り欠いた黄色の画像レイヤ５０Y−１と、第２レイヤ５０G−２について部分模様Ｂの輪郭内を切り欠いた緑色の画像レイヤ５０G−２と、第３レイヤ５０Y−３について部分模様Ａの輪郭内を切り欠いた黄色の画像レイヤ５０Y−３とを生成する。そして、基台レイヤ５０G−０となる緑色の画像レイヤ５０G−０の前側に黄色の画像レイヤ５０Y−１を重ね、その画像レイヤ５０Y−１の前側に緑色の画像レイヤ５０G−２を重ね、その画像レイヤ５０G−２の前側に黄色の画像レイヤ５０Y−３を重ねる（図３（ｃ）参照）。これにより、最も前側となる黄色の画像レイヤ５０Y−３に対して、部分模様Ａの内方を、後側の画像レイヤ５０G−０〜５０G−２により緑色と黄色の２色で表して全体模様Ｍが凹状となる。
【００８５】
更に、切断データ作成装置１側で作成した折り重ね用切断データを、切断装置１１側で受信して、折り重ね用切断データに基づき切断動作を実行させることができる。この場合、切断装置１１において、１枚のシート材２００から各部分模様Ａ〜Ｃの輪郭線及び枠線３００が切断されると共に各折り線４１〜４３が形成された１枚のシート片２０を切り抜くことができる（図３（ｂ）参照）。
【００８６】
ユーザは、各折り線４１〜４３を折り重ねの指標となる目印として、シート片２０の谷折り線４１での谷折りと山折り線４２での山折りと谷折り線４３での谷折りとを交互に行い、ジグザグ折り（蛇腹折り）にする。これにより、シート片２０を、枠線３０〜３３で画されたシート部２０−０〜２０−３単位で折り重ねれば、複数の部分模様Ａ〜Ｄが組み合わさった「星形」と「三角形」の全体模様Ｍを凹状に表す装飾物５１を作製することができる。装飾物５１は、シート部２０−０，２０−２の緑色と、折り重ねに伴い表裏反転したシート部２０−１、２０−３の黄色との２色で表わされる（図３（ａ）参照）。
【００８７】
上記したように、折り重ねに伴い表裏反転するシート部２０−１、２０−３の部分模様Ａ，Ｃは、図３（ｃ）に示すように基台シート部２０−１側からの重なり順の順番が偶数番目（前記ステップＳ４５では「１」から順番を数えるため奇数番目）となる。本実施形態にあっては、当該部分模様Ａ，Ｃを、その枠線３１，３３の重畳線３１ａ，３３ａを基準に対称形状となる部分模様に変換する、ステップＳ４８の対称変換工程を実行する。このため、シート片２０を蛇腹折りにしても、当該部分模様Ａ，Ｃを所期の向きに合わせることができる折り重ね用切断データを自動的に作成することができる。
【００８８】
この点、本実施形態と異なり、複数のシート材から夫々切断された個々の部分模様（シート）を積層することにより装飾物を作製することが考えられる。しかしながら、複数のシート材が必要となり、作製の手間がかかる上に、個々のシートを重ねるときの位置や向きの調整が必要となる。これに対し、本実施形態のシート部２０−０〜２０−３は、１枚のシート片２０として繋げた構成であるため、装飾物５１の作製の手間或は作製時間を大幅に減らすことが可能となる。また、折り線４１〜４３を折り重ねの指標としてシート部２０−０〜２０−３単位で折り重ねるだけで、部分模様Ａ〜Ｄ相互間の正確な位置合せを行うことができる。
【００８９】
以上説明したように、本実施形態の切断データ作成方法は、注目する一の部分模様の枠線の一部と他の部分模様の枠線の一部とを重ねるための重畳線（線分３０ａ，３１ａ，３１ｃ，３２ｃ，３２ａ，３３ａ）を、夫々の部分模様について設定する重畳線設定工程（ステップＳ４３〜Ｓ４７，Ｓ４９，Ｓ５０）と、一の部分模様の枠線と他の部分模様の枠線とを、重畳線設定工程で設定された重畳線で繋げた形状に連接する連接工程（ステップＳ４９）と、この連接工程で繋げた枠線３０〜３３のうち重畳線を除く枠線３００を切断する切断データを作成する切断データ作成工程（ステップＳ５２）と、を備える。
【００９０】
これによれば、重畳線設定工程で、一の部分模様の枠線の一部と他の部分模様の枠線の一部との重畳線が設定され、連接工程で、一の部分模様の枠線と他の部分模様の枠線とを重畳線で繋げた形状に連接する。これにより、被切断物としてのシート（シート片２０）について、複数の部分模様Ａ〜Ｄに係る枠線３０〜３３のうち重畳線を除く枠線３００を切断する切断データを作成することができる。このため、作成した切断データに基づきシート片２０を切断し、枠線３０〜３３で画された単位でシート片２０を折り重ねれば、複数の部分模様Ａ〜Ｄが組み合わさった全体模様Ｍを表す装飾物５１を作製することができる。よって、装飾物５１の作製に必要なシート枚数を抑制することができ、製作の手間を減らすことができる。
【００９１】
また、切断データ作成装置１の制御回路５は、前記重畳線を、夫々の部分模様について設定する重畳線設定手段、一の部分模様の枠線と他の部分模様の枠線とを、重畳線で繋げた形状に連接する連接手段、この連接手段で繋げた枠線３０〜３３のうち前記重畳線を除く枠線３００を切断する切断データを作成する切断データ作成手段として構成されている。
【００９２】
これによれば、重畳線設定手段で、一の部分模様の枠線の一部と他の部分模様の枠線の一部との重畳線が設定され、連接手段で、一の部分模様の枠線と他の部分模様の枠線とを重畳線で繋げた形状に連接する。これにより、被切断物としてのシート片２０について、複数の部分模様Ａ〜Ｄに係る枠線３０〜３３のうち重畳線を除く枠線３００を切断する切断データを作成することができる。このため、作成した切断データに基づきシート片２０を切断し、枠線３０〜３３で画された単位でシート片２０を折り重ねれば、複数の部分模様Ａ〜Ｄが組み合わさった全体模様Ｍを表す装飾物５１を作製することができる。また、装飾物５１の作製に必要なシート枚数を抑制することができ、製作の手間を減らすことができる。
【００９３】
前記切断データ作成方法は、シート片２０を折り重ねたときの複数の部分模様Ａ〜Ｄの重なり順の順番を決定する順番決定工程（ステップＳ４、順番決定手段としての制御回路５）を備え、重畳線設定工程（重畳線設定手段）は、順番決定手段で決定された前記順番に応じて、各部分模様Ａ〜Ｄの枠線３０〜３３の重畳線を設定する。
これによれば、シート片２０を折り重ねたときの部分模様Ａ〜Ｄの重なり順の順番に応じて、枠線３０〜３３の重畳線が設定される。これにより、シート片２０について、前記順番に応じて設定された重畳線で枠線３０〜３３を連接することができる。
【００９４】
前記複数の部分模様Ａ〜Ｄのうちシート片２０を折り重ねたときの重なり順の順番が偶数番目となる部分模様Ａ，Ｃを、その枠線３１，３３の重畳線３１ａ，３３ａを基準に対称形状となる部分模様Ａ，Ｃに変換する対称変換工程（ステップＳ４８、対称変換手段としての制御回路５）を備える。これによれば、シート片２０の折り重ねに伴い表裏反転する部分模様Ａ，Ｃを対称形状に変換することで、当該折り重ねにより、その余の部分模様Ｂ，Ｄと即した組み合わせが得られる折り重ね用切断データを作成することができる。
【００９５】
前記枠線３０〜３３は、その内方に部分模様Ａ〜Ｃを包含し、又は、部分模様Ｄの輪郭線の少なくとも一部を構成する。これによれば、枠線３０〜３３によって、部分模様Ａ〜Ｄを画すると共に、その画する単位でシート片２０を折り重ねることで、部分模様Ａ〜Ｄの重なり合いを得ることができる。
【００９６】
前記切断データ作成工程（切断データ作成手段）は、前記重畳線を折り線位置として折り重ねの指標となる目印の切断データを更に作成する。これによれば、シート片２０における目印が、重畳線を折返し位置とする指標となるため、シート片２０の折り重ねの簡単化を図ることができる。
【００９７】
前記目印は、折り線位置を示す線であって、シート片２０を山折りすることを示す山折り線４２と、シート片２０を谷折りすることを示す谷折り線４１，４３とを含み、山折り線４２と谷折り線４１，４３は線の種類が異なる。これによれば、山折り線４２と谷折り線４１，４３を目印として、シート片２０の山折りと谷折りを容易に行うことができる。
なお、折り線位置は、上記した破線や一点鎖線以外の線で特定してもよく、前記目印は、折り重ねの指標となるものであればよい。
【００９８】
前記枠線３０〜３３を繋げる方向を指定する方向指定工程（ステップＳ４１、方向指定手段としての制御回路５）を備え、重畳線設定工程は、方向指定工程で指定された方向に応じて重畳線を設定する。これによれば、一の部分模様の枠線と他の部分模様の枠線とを、方向指定工程で指定された方向に応じて連接した枠線３００が得られる折り重ね用切断データを作成することができる。
【００９９】
＜その他の実施形態＞
図１４〜図１６は、本開示の第２〜第４実施形態を示すものであり、既述の部分と同一部分には同一符号を付して説明を省略し、以下異なる点につき説明する。
図１４（ａ）は、第２実施形態の装飾物５２を示しており、その全体模様Ｍ１は、「葉付きのリンゴ」の図柄を凹状に表す。図１４（ｂ）〜（ｅ）に示す４種類のシート片６１〜６４は、ジグザグ状に折り重ねることにより、３つの部分模様Ｑ，Ｒ，Ｓが組み合わさった全体模様Ｍ１を表す。なお、各シート片６１〜６４は、夫々３つのシート部で構成され、表裏が共に緑色であるとする。また、「葉付きのリンゴ」を部分模様Ｑ、「リンゴの実」を部分模様Ｒとし、枠線７０，７１，７２は、正方形の四隅を円弧で繋げた（丸くした）形状の部分模様Ｓの輪郭線を表すものとする。
【０１００】
本第２実施形態のシート片６１〜６４は、夫々の枠線７０〜７２の連接方向が相違する。即ち、図１４（ｂ）のシート片６１は、枠線７０〜７２の連接方向を、第１実施形態と同様、Ｙ軸負方向４００とする。一方、枠線７０〜７２の連接方向について、図１４（ｃ）のシート片６２はＹ軸正方向４０１、図１４（ｄ）のシート片６３はＸ軸正方向４０２、図１４（ｅ）のシート片６４はＸ軸負方向４０３とする。
このような枠線７０〜７２の連接方向は、制御回路５により、枠線７０〜７２における直線部分の線分（４つの辺）の何れかと直交する方向に指定される（ステップＳ４１）。このため、制御回路５による連接方向の指定に応じて、何れかの態様のシート片６１〜６４が得られる折り重ね用切断データが作成される。
【０１０１】
各シート片６１〜６４を夫々折り重ねたときの部分模様Ｑ，Ｒ，Ｓの重なり順の順番は、第１実施形態と同様、一の部分模様が他の部分模様に包含されているか否かを判別するステップＳ１２を経て決定される。また、各シート片６１〜６４において、決定した前記順番に応じて、部分模様Ｑ，Ｒ，Ｓの枠線７０〜７２のTmpLapLineが設定される（ステップＳ４５〜Ｓ４７）。そして、各シート片６１〜６４を夫々折り重ねたときの重なり順の順番が偶数番目となる部分模様Ｒは、その枠線７１のTmpLapLineを基準に対称形状となる部分模様に変換される（ステップＳ４８）。従って、何れのシート片６１〜６４も、谷折り線４１で谷折りすると共に山折り線４２で山折りして、ジグザグ状に折り重ねることにより、同じ全体模様Ｍ１を表す装飾物５２を作製することができる。
【０１０２】
図１５に示す第３実施形態のシート片６５は、図１４（ｃ）のシート片６２と以下の点で相違する。即ち、シート片６５には、枠線７０〜７２の近傍に位置させて、当該シート片６５を折り重ねた状態で保持するための保持部８０が設けられている。
保持部８０は、スリット８１と張出部８２とからなる。具体的には、図１５に示すように、スリット８１は、谷折り線４１及び山折り線４２に夫々沿って形成された第１スリット８１ａ及び第２スリット８１ｂからなり、張出部８２は、シート片６５の長手方向両端部に形成された第１張出部８２ａ及び第２張出部８２ｂからなる。
第１スリット８１ａは、谷折り線４１の両端側を除いた途中部を、通常の切断線とした直線状の切込みである。同様に、第２スリット８１ｂは、山折り線４２の両端側を除いた途中部を、通常の切断線とした直線状の切込みである。
第１張出部８２ａは、シート片６５をジグザグ状に折り重ねた状態での第１スリット８１ａの位置に合わせて、枠線７２の外側に張り出すよう形成されている。同様に、第２張出部８２ｂは、シート片６５をジグザグ状に折り重ねた状態での第２スリット８１ｂの位置に合わせて、枠線７０の外側に張り出すよう形成されている。
【０１０３】
即ち、第１張出部８２ａは第１スリット８１ａに差込み可能であり、第２張出部８２ｂは第２スリット８１ｂに差込み可能である。それ故、シート片６５をジグザグ状に折り重ねた状態で、第１張出部８２ａを第１スリット８１ａ内に差込むと共に、第２張出部８２ｂを第２スリット８１ｂ内に差込むことで、シート片６５は折り重ねた状態が保持される（図１４（ａ）参照）。このように、装飾物５２は、保持部８０によって、完成した状態が保持される。このとき、第１，第２張出部８２ａ，８２ｂは、第１，第２スリット８１ａ，８１ｂ内に夫々収まるため、外側には露出しない。従って、保持部８０を設けたとしても、装飾物５２の外観には影響しない。
【０１０４】
上記した切断データ作成プログラムにおいて、ステップＳ４で重なり順を決定した後、ステップＳ５で折り重ね用切断データを作成する前に、スリット８１及び張出部８２の有無を決定するための保持設定工程を実行する。これにより、スリット８１及び張出部８２の切断線データを含む、シート片６５についての折り重ね用切断データが作成される（ステップＳ５）。なお、張出部８２の切断線データについては、全体の枠線の切断線データを張出部８２の形状に合わせて適宜補正すればよいので、詳しい説明は省略する。
【０１０５】
以上説明したように、本第３実施形態の制御回路５は、前記保持部８０を枠線７０〜７２の近傍に配置する保持設定工程を実行する保持設定手段として構成されている。これによれば、シート片６５の折り重ねた状態を枠線７０〜７２近傍の保持部８０で保持する装飾物５２が得られる折り重ね用切断データを作成することができる。なお、保持部は、例えばスリット８１を省略し、張出部８２に接着剤又は粘着剤を付けて、シート部相互間を固着させて保持するようにしてもよい。また、スリット８１及び張出部８２を設ける位置、それらの形状、大きさ、個数については、図１５に示すものに限定することなく、折り重ねるシート片に応じて適宜変更すればよい。
【０１０６】
図１６（ａ）は、第４実施形態の装飾物５３を示しており、その全体模様Ｍ２は、「満月」を凹状に表す部分模様Ｔ、「山」を凸状に表す部分模様Ｕ、及び「周囲」の部分模様Ｖの組み合わせからなる。
図１６（ｂ）のシート片６６は、谷折り線４１を挟む２つのシート部６６−１，６６−２で構成され、表面６６Bが青色、裏面６６Yが黄色（図１６（ａ）参照）である両面色紙である。第１シート部６６−１の枠線９０は、その内方に部分模様Ｔを包含し、第２シート部６６−２の枠線９１は、部分模様Ｕの輪郭線の全部を構成し、基台シート部は省略されている（前記ステップＳ１４参照）。
【０１０７】
前述した切断データ作成プログラムにおいて、シート片６６を折り重ねたときの部分模様Ｔ，Ｕ，Ｖの重なり順の順番の決定、枠線９０，９１のTmpLapLineの設定、並び前記順番が偶数番目となる部分模様Ｕの形状の対称変換が行われる。従って、上記構成のシート片６６についても、谷折り線４１で谷折りして折り重ねることにより、所期の「満月」と「山」の位置関係（部分模様Ｔ，Ｕ，Ｖ相互間の相対的位置関係）を得ることができる等、第１実施形態と同様の効果を奏する。
【０１０８】
本発明は、上記した実施形態にのみ限定されるものではなく、次のように変形または拡張できる。切断データ作成装置は、所謂専用機や切断装置１１に切断データ作成機能を持たせた構成としてもよい。
前記切断データ作成プログラムを記録した記録媒体は、前記外部記憶装置９に限定されるものではなく、ＵＳＢメモリ、ＣＤ−ＲＯＭ、フレキシブルディスク、ＤＶＤ、メモリカード等の各種の記録媒体であってもよい。この場合、当該記録媒体に記録されたプログラムを、種々のデータ処理装置のコンピュータに読み込んで実行させることにより、上記実施形態と同様の作用及び効果を奏する。
【符号の説明】
【０１０９】
１    切断データ作成装置
５    制御手段（重畳線設定手段、連接手段、切断データ作成手段、順番決定手段、対称変換手段、方向指定手段、保持設定手段）
２０，６１〜６６  シート（シート片）
３０〜３３、７０〜７２、９０，９１  枠線
４１〜４３  目印（山折り線、谷折り線）
５１〜５３  装飾物
８０    保持部
Ａ〜Ｄ，Ｑ〜Ｖ  部分模様
Ｍ，Ｍ１，Ｍ２  全体模様
LapLine  重畳線
【図１】
0006477008.tif 000002
【図２】
0006477008.tif 000003
【図３】
0006477008.tif 000004
【図４】
0006477008.tif 000005
【図５】
0006477008.tif 000006
【図６】
0006477008.tif 000007
【図７】
0006477008.tif 000008
【図８】
0006477008.tif 000009
【図９】
0006477008.tif 000010
【図１０】
0006477008.tif 000011
【図１１】
0006477008.tif 000012
【図１２】
0006477008.tif 000013
【図１３】
0006477008.tif 000014
【図１４】
0006477008.tif 000015
【図１５】
0006477008.tif 000016
【図１６】
0006477008.tif 000017